(57)【要約】      （修正有）【課題】強度が従来のプラスチック製品よりも遥かに優れ、且つ高温に耐えることができ、有毒物質を放出しない調理機のカップホルダ構造を提供する。【解決手段】カップホルダ構造は、カップ体１、フィルタカップ２、ワッシャーソケット及びプラスチック底台４を含み、フィルタカップは、カップ体内に固定され、ワッシャーソケットは、カップ体と底台の間に挟み置かれる。カップ体は、ステンレス材質で製造され、高温の使用環境に耐え、有毒物質を放出しない。構造上、カップ体は、異性材質の底台と互いに接合し、弾性を有するワッシャーソケットがその中に挟まれているので、極めて良好な密封、吸震効果をもつ。【選択図】図１
0003189704.tif 000002
【実用新案登録請求の範囲】
【請求項１】
カップ口、カップ底、カップボディを有し、カップ底の中央にツールを取り付ける貫通孔を有するステンレスカップ体と、
カップ体底部を収容する挿入溝を有し、挿入溝の底面に複数の取り付け孔および貫通孔に対応する挿入孔を有し、該複数の取り付け孔は、同数のロック部材を貫通させ、底台をカップ体と互いに接合させ、挿入孔は、調理機の回転軸を貫通させ、ツールを取り付けさせるプラスチック底台と、
環状を呈し、中空部を有し、カップ体外に被さり、カップ体と底台との間に挟み置かれる弾性ワッシャーソケットであり、ワッシャーソケットの上縁に環外へシールリップを突出し、それと底台の間の隙間を覆うことに用いる弾性ワッシャーソケットと、
を含む調理機のカップホルダ構造。
【請求項２】
前記ステンレスカップ体のカップボディ上に複数の内向きに凹んだスポイラー柱を有する請求項１に記載の調理機のカップホルダ構造。
【請求項３】
前記スポイラー柱とカップ底との間に隙間を保留する請求項２に記載の調理機のカップホルダ構造。
【請求項４】
前記カップホルダは、更に、ステンレスカップ体内に取り付けるフィルタカップを含み、前記フィルタカップの底部に複数のＬ形のラッチを環設し、該Ｌ形ラッチの縦部がブロック部であり、横部が突き合わせ部であり、突き合わせ部の前端に更に傾斜ガイド部を有し、Ｌ形ラッチをスポイラー柱とカップ底との間に保留する隙間にねじ込ませることで、フィルタカップをカップ体内に確実に固定することができる請求項３に記載の調理機のカップホルダ構造。
【請求項５】
ワッシャーソケットの環内面上に複数の中空部に向けて突出した係止柱を有し、各係止柱のスポイラー柱に対応するカップボディの凹陥部がこれと係止し、該ワッシャーソケットとカップ体の相対位置を定位することに用いる請求項２乃至請求項４の何れか１項に記載の調理機のカップホルダ構造。
【考案の詳細な説明】
【技術分野】
【０００１】
本考案は、カップホルダ構造に関し、特に、調理機に用いるステンレス製カップホルダに関する。
【背景技術】
【０００２】
均衡の取れた栄養を獲得する為、調理機は、様々な食材を粉砕することに用い、現代人の生活に不可欠なものとなっており、操作時、これら食材をカップホルダ内に集め、カップホルダを調理機上に安置し、調理機のツールをカップホルダ中に伸入させ、高速回転により食材をジュースに粉砕する。
【０００３】
従来の調理機上のカップホルダは、何れもプラスチックで成型され、常温または低温の環境での使用に適し、高温にあたる場合、毒性物質を放出し易く、食品安全上のリスクを有する。
【０００４】
また、多くの従来技術は、カップホルダにフィルタカップを加え、フィルタカップ上のフィルタメッシュの微小孔により滲み出たジュースを更に細密化させており、中華民国公告第４８８２７０号、第Ｍ２４２１４６号、第Ｍ２７８３６０号、及び第Ｍ３３１９４４号等の多くの特許文献で議論されている。そのうち、第Ｍ３３１９４４号特許は、本考案者が提示する好適な改良案であり、内容は、フィルタカップをカップホルダ内に固定する構造に関し、主にプラスチック製カップホルダ内に複数の突出する固定ブロックを環設し、フィルタカップ上のＬ形ラッチに合わせて回転方式で固定される。該項の技術思案は、その他の設計と区別を有し、予期する効果を達成することができるが、固定ブロック及びＬ形ラッチは、何れもプラスチックで成型され、それが嵌合を完成する強度は、依然として十分でない。また、カップホルダ内に該複数の固定ブロックを別途成型する必要があり、増加する工程及び金型の設計が製品の歩留まりを低下させ、依然として改善の余地を有する。
【先行技術文献】
【特許文献】
【０００５】
【特許文献１】登録実用新案第３１４２０７５号公報
【考案の概要】
【考案が解決しようとする課題】
【０００６】
従来技術の欠陥を改善する為、本考案は、特にステンレス材質を使用してカップ体を製造し、その底部にプラスチック製の底台を接合し、カップ体を調理機上に安置することを補助し、弾性を有するワッシャーソケットをカップ体及び底台の間に挟ませてカップホルダを形成し、ステンレス材質の構造性の強さ、耐高温特性を利用し、使用時有毒物質を放出せず、使用者に最良な食品安全の保障を提供する。また、カップ体が異性材質の底台と互いに接し、弾性を有するワッシャーソケットがその中に挟み置かれることにより、極めて良好な密封、吸震効果をもたせ、且つカップ体と底台の衝突を阻隔し、ノイズの発生を回避できるようにすることが本考案の目的である。
【０００７】
また、ステンレスカップ体のカップボディ上に複数の内向きに凹んだスポイラー柱を有し、スポイラー柱は、カップ内の流体を回転攪拌時にこれと衝突接触を発生させ、攪拌された食材の繊維化の程度を更に細かくすることができ、且つ該スポイラー柱とカップ底の間にフィルタカップを取り付ける隙間を保留し、フィルタカップは、その底部に複数の「Ｌ」形のラッチを環設し、Ｌ形ラッチをスポイラー柱とカップ底の間に保留した隙間にねじ込ませ、フィルタカップをカップ体内に確実に固定させることができ、従来技術のようにカップホルダ内に別途複数の固定ブロックを成型する必要がなく、生産の歩留まりを向上することができるようにすることが本考案のもう１つの目的である。
【課題を解決するための手段】
【０００８】
本考案の調理機のカップホルダ構造は、カップ口、カップ底、カップボディを有し、カップ底の中央にツールを取り付ける貫通孔を有するステンレスカップ体と、カップ体底部を収容する挿入溝を有し、挿入溝の底面に複数の取り付け孔および貫通孔に対応する挿入孔を有し、該複数の取り付け孔は、同数のロック部材を貫通させ、底台をカップ体と互いに接合させ、挿入孔は、調理機の回転軸を貫通させ、ツールを取り付けさせるプラスチック底台と、環状を呈し、中空部を有し、カップ体外に被さり、カップ体と底台との間に挟み置かれる弾性ワッシャーソケットであり、ワッシャーソケットの上縁に環外へシールリップを突出し、それと底台の間の隙間を覆うことに用いる弾性ワッシャーソケットと、を含む。
【考案の効果】
【０００９】
本考案のカップ体１とフィルタカップ２は、ステンレス材質であり、その構造強度は、従来技術のプラスチック製品よりも遥かに優れ、且つ高温に耐えることができ、有毒物質を放出せず、使用者に最良の食品安全保障を提供する。構造上、カップ体１は、異性材質の底台４と互いに接合し、弾性を有するワッシャーソケット３をその中に挟み置き、極めて良好な密封、吸震効果をもたせ、且つカップ体１と底台４の衝突を阻隔し、ノイズの発生を回避する。
【００１０】
上記以外に、本考案のカップ体１は、スポイラー柱１２０とカップ底１１の間に保留する隙間１２１によりフィルタカップ２を取り付け固定し、従来技術のようにカップホルダ内に別途複数の固定ブロックを成型する必要がなく、生産の歩留まりを向上させることができる。
【図面の簡単な説明】
【００１１】
【図１】本考案のカップホルダ、フィルタカップ及び調理機の分離構造図である。
【図２】本考案のカップホルダの分解構造図である。
【図３】本考案のカップホルダ、フィルタカップの組み合わせ構造の断面図である。
【考案を実施するための形態】
【００１２】
図１〜図３に示すように、本考案のカップホルダは、カップ体１、フィルタカップ２、ワッシャーソケット３及び底台４を含み、前記フィルタカップ２は、カップ体１内に固定され、ワッシャーソケット３は、カップ体１と底台４との間に挟み置かれる。
【００１３】
前記カップ体１は、ステンレス材質で製造され、極めて良好な構造強度を有し、それは、カップ口１０、カップ底１１及びカップボディ１２を含み、カップボディ１２上に複数の内向きに凹んだスポイラー柱１２０を有し、スポイラー柱１２０によりカップ内の流体を回転攪拌時にこれと衝突接触を発生させ、攪拌された食材を繊維化させる程度を更に細密化し、且つ該スポイラー柱１２０とカップ底１１との間にフィルタカップ２を取り付ける隙間１２１を保留する。また、カップ底１１中央にツール５０を取り付けた貫通孔１１０を有する。
【００１４】
前記フィルタカップ２は、ステンレス材質で製造され、それは、底部に複数の「Ｌ」形のラッチ２０を環設し、該Ｌ形ラッチ２０の縦部がブロック部２０１であり、横部が突き当たり部２０２であり、突き当たり部２０２の前端に更に傾斜ガイド部２０３を有する。
【００１５】
前記底台４は、プラスチック材質で製造され、それは、カップ体１底部の外に被せられ、カップ体１を調理機５上に安置することを補助することに用いられる。該底台４は、カップ体１底部を収容する挿入溝４０を有し、挿入溝４０の底面に複数の取り付け孔４００及び貫通孔１１０に対応する挿入孔４０１を有し、該複数の取り付け孔４００は、同数のロック部材４０２を貫通させ、底台４をカップ体１と互いに接合させ、挿入孔４０１は、調理機５の回転軸５１を貫通させ、ツール５０を取り付けさせる。
【００１６】
前記ワッシャーソケット３は、環状を呈し、中空部３０を有し、カップ体１外に被さり、カップ体１と底台４との間に挟み置かれ、弾性を有するゴム材質で製造され、好適な密封、吸震効果を有し、且つカップ体１と底台４の衝突を阻隔し、ノイズの発生を回避することができる。該ワッシャーソケット３の環内面上に複数の中空部３０向きに突出した係止柱３１を有し、各係止柱３１のスポイラー柱１２０に対応するカップボディ１２の凹陥部１２２は、これと係止し、該ワッシャーソケット３とカップ体１の相対位置を定位することに用い、カップ体１の任意の回転を回避する。また、ワッシャーソケット３の上縁は、環外へシールリップ３２を突出し、それと底台４との間の隙間に外部物体が進入することを回避するよう覆うことに用いる。
【００１７】
組み立て時、先ずワッシャーソケット３をカップ体１と底台４との間に挟み置き、固定し、ロック部材４０２によりカップ体１を底台４と接合する。カップ体１と底台４を接合後、調理機５上に置き、調理機５の回転軸５１は、順に挿入孔４０１と貫通孔１１０を通過した後、カップ体１内にツール５０を取り付け、最後に、フィルタカップ２をＬ形ラッチ２０によりスポイラー柱１２０とカップ体１１との間に保留する隙間１２１にねじ込み、フィルタカップ２をカップ体１内に確実に固定させる。そのうち、該Ｌ形ラッチ２０は、傾斜ガイド部２０３の設計を利用し、前記隙間１２１中まで進入するよう補助し、突き当り部２０２によりスポイラー柱１２０と係止させ、ブロック部２０１のブロックを受けて、固定させる。
【００１８】
本考案のカップ体１とフィルタカップ２は、ステンレス材質であり、その構造強度は、従来技術のプラスチック製品よりも遥かに優れ、且つ高温に耐えることができ、有毒物質を放出せず、使用者に最良の食品安全保障を提供する。構造上、カップ体１は、異性材質の底台４と互いに接合し、弾性を有するワッシャーソケット３をその中に挟み置き、極めて良好な密封、吸震効果をもたせ、且つカップ体１と底台４の衝突を阻隔し、ノイズの発生を回避する。
【００１９】
上記以外に、本考案のカップ体１は、スポイラー柱１２０とカップ底１１の間に保留する隙間１２１によりフィルタカップ２を取り付け固定し、従来技術のようにカップホルダ内に別途複数の固定ブロックを成型する必要がなく、生産の歩留まりを向上させることができる。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  カップ体
１０  カップ口
１１  カップ底
１１０  貫通孔
１２  カップボディ
１２０  スポイラー柱
１２１  隙間
１２２  凹陥部
２  フィルタカップ
２０  ラッチ
２０１  ブロック部
２０２  突き当たり部
２０３  傾斜ガイド部
３  ワッシャーソケット
３０  中空部
３１  係止柱
３２  シールリップ
４  底台
４０  挿入溝
４００  取り付け孔
４０１  挿入孔
４０２  ロック部材
５  調理機
５０  ツール
５１  回転軸
【図１】
0003189704.tif 000003
【図２】
0003189704.tif 000004
【図３】
0003189704.tif 000005